(57)【要約】【課題】多機能化した無線装置が複数のシステム動作を並行して行い、送信出力の設定値を電池出力に対応させて制御する。【解決手段】無線装置は、移動通信システムと他の無線システムの並行動作を開始して（ステップＳ１）、それぞれの送信部（送信部１１及び送信部２１）の送信出力を設定する（ステップＳ２）。無線装置の制御部は、予めメモリに格納された送信出力と電池出力の対応関係のデータをメモリから読み出して、設定した送信出力値から電池出力値を推定する（ステップＳ３）。制御部は、電池出力の推定値が所定のしきい値を超えていれば（ステップＳ４の“ＮＯ”）少なくとも一方（送信部２２）の送信出力を再設定し（ステップＳ５）、電池出力の推定値が所定のしきい値以下であれば（ステップＳ４の“ＹＥＳ”）再設定を行わない。制御部は、並行動作の終了の操作がされると（ステップＳ６の“ＹＥＳ”）処理を終了する。【選択図】図２
2008061012.tif 000002
【特許請求の範囲】
【請求項１】
電池を装着する手段と、
第１の送信手段と、
対応する無線システムを前記第１の送信手段と異にする第２の送信手段と、
前記第１の送信手段の送信出力値及び前記第２の送信手段の送信出力値と電池の出力値を対応付けて記憶することのできる記憶手段と、
前記第１の送信手段の送信出力値及び前記第２の送信手段の送信出力値を設定すると共に、前記設定した送信出力値に対応する電池の出力値を前記記憶手段から読み出して、前記読み出した電池の出力値が所定のしきい値を超えると判断したとき、少なくとも前記第２の送信手段の送信出力値を設定しなおすことができる制御手段とを
備えたことを特徴とする無線装置。
【請求項２】
前記電池の出力値を監視する監視手段をさらに備え、
前記制御手段はさらに、前記監視手段により監視された電池の出力値が定められた限度を超えるならば、少なくとも前記第２の送信手段の送信出力値を設定しなおすことができることを特徴とする請求項１に記載の無線装置。
【請求項３】
前記第１の送信手段は音声通話を含む無線通信に用いられ、
前記制御手段は、前記第１の送信手段が音声通話に用いられている場合に限って、少なくとも前記第２の送信手段の送信出力値を設定しなおすことができることを特徴とする請求項１に記載の無線装置。
【請求項４】
前記電池の出力値を監視する監視手段をさらに備え、
前記第１の送信手段は音声通話を含む無線通信に用いられ、
前記制御手段は、前記第１の送信手段が音声通話に用いられており、かつ、前記読み出した電池の出力値が所定のしきい値を超えると判断したとき、少なくとも前記第２の送信手段の送信出力値を設定しなおすことができ、
前記制御手段はさらに、前記第１の送信手段が音声通話に用いられており、かつ、前記監視手段により監視された電池の出力値が定められた限度を超えるならば、少なくとも前記第２の送信手段の送信出力値を設定しなおすことができることを特徴とする請求項１に記載の無線装置。
【請求項５】
前記制御手段は、前記第２の送信手段の送信出力値を可変とする設定がされている場合に限って、前記第２の送信手段の送信出力値を設定しなおすことができることを特徴とする請求項１乃至請求項４のいずれか１項に記載の無線装置。
【発明の詳細な説明】
【技術分野】
【０００１】
本発明は無線装置に係り、特に相異なる２以上の通信システムに対応する無線装置に関する。
【背景技術】
【０００２】
相異なる２以上の通信システムに対応する無線装置（携帯端末）が知られている（例えば、特許文献１参照。）。上記の特許文献１に開示された携帯端末は、セルラ方式の第１の無線通信システムと、ホットスポット方式の第２の無線通信システムの双方において通信することが可能である。当該携帯端末は、消費電流の低減を考慮しつつ自身の位置等に基づき無線通信システム間の接続又は接続の切り換えを行う旨が記載されている。
【０００３】
相異なる２以上の通信システムに対応し、電池残量と待ち受け時間の長短により通信システム間の切り換えを制御する無線装置（携帯端末）が知られている（例えば、特許文献２参照。）。上記の特許文献２に開示された携帯端末は、対応する複数のシステムのそれぞれについて待ち受け時間のデータを保持している。当該携帯端末は、電池残量が選択中のシステムに係る待ち受け時間のしきい値を下回ったとき、より長い待ち受け時間を可能とするシステムへ切り換える旨が記載されている。
【０００４】
電池残量の減少に対応して、優先度の低い機能から順に停止させるという技術が知られている（例えば、特許文献３参照。）。上記の特許文献３に開示された携帯機器は、電池残量を検出して各種機能の実行可能時間を求める。当該携帯機器は、節電動作が必要な場合、機能の実行に本質的でない部分から順に停止又は機能低下させる旨（例えば、音楽再生における画像表示の停止、音量の低下等）が記載されている。
【特許文献１】特開２００４−３２０４７３号公報（第２、８乃至１０ページ、図３）
【特許文献２】特開２００４−２３５８６３号公報（第２、４乃至７ページ、図１）
【特許文献３】特開２００２−３１４６７８号公報（第２乃至５ページ、図１）
【発明の開示】
【発明が解決しようとする課題】
【０００５】
上述した従来の技術に係る無線装置は、複数のシステムに対応するものであっても、それらのシステム間を切り換える（複数のシステム動作を並行して行わない。）ことを前提とするものであった。また、節電目的の機能の切り換え又は選択を、位置の情報又は電池残量の減少を条件として判断するものであった。
【０００６】
これに対して、今後は、例えば携帯電話で音声通話をしながら同じ携帯電話の無線ローカルエリアネットワーク（ＬＡＮ）機能を用いて外部ファイルのダウンロードを行えるというような、多機能の迅速な活用を求められることが考えられる。また、無線装置が位置の情報を持たなかったり、電池残量がまだ十分な範囲にとどまっていたりする場合にも、節電機能が働くことが望ましい。上記の特許文献１乃至特許文献３に記載された技術は、上述したように複数のシステム動作を並行して行うことはできず、また節電目的の機能の切り換え又は選択のために位置の情報又は電池残量の減少という条件を要するという問題があった。
【０００７】
本発明は上記の問題を解決するためになされたもので、複数のシステム動作を並行して行い、かつ、送信出力の設定値を電池出力に対応させて制御することのできる無線装置を提供することを目的とする。
【課題を解決するための手段】
【０００８】
上記目的を達成するために、本発明の無線装置は、電池を装着する手段と、第１の送信手段と、対応する無線システムを前記第１の送信手段と異にする第２の送信手段と、前記第１の送信手段の送信出力値及び前記第２の送信手段の送信出力値と電池の出力値を対応付けて記憶することのできる記憶手段と、前記第１の送信手段の送信出力値及び前記第２の送信手段の送信出力値を設定すると共に、前記設定した送信出力値に対応する電池の出力値を前記記憶手段から読み出して、前記読み出した電池の出力値が所定のしきい値を超えると判断したとき、少なくとも前記第２の送信手段の送信出力値を設定しなおすことができる制御手段とを備えたことを特徴とする。
【発明の効果】
【０００９】
本発明によれば、複数の通信システムに対応する動作を並行して行うことができる複数の送信手段を備えた無線装置が、必要に応じて送信出力値を再設定することにより、多機能の迅速な活用と電池の持続時間改善を両立させることができる。
【発明を実施するための最良の形態】
【００１０】
以下、図面を参照して本発明の実施例を説明する。
【実施例１】
【００１１】
以下、図１及び図２を参照して、本発明の実施例１を説明する。図１は、本発明の実施例１に係る無線装置１のブロック図である。無線装置１は、移動通信システムに属して使用される例えば携帯電話機のような移動通信端末であるものとする。
【００１２】
無線装置１は、上記の移動通信システムに属して使用されるためのアンテナ１０を備えている。アンテナ１０は、送受切り換え部１１を介して送信部１２及び受信部１３に接続されている。送信部１２及び受信部１３は、制御部１４に接続されている。制御部１４は、例えばマイクロプロセッサ又はディジタルシグナルプロセッサ（ＤＳＰ）のような処理デバイスにより構成される。制御部１４は、無線装置１の全体又は各部の監視及び制御を行う。無線装置１は、メモリ１５を備えている。メモリ１５は、無線装置１の動作に必要とされる各種のデータを記憶させる（格納する）ことができる。
【００１３】
送信部１２は、制御部１４から得た情報を符号化したディジタル送信信号により連続波を変調し、その変調出力を周波数変換及び増幅して無線送信波を生成する。当該無線送信波は、送受切り換え部１１を経てアンテナ１０から放射され、無線装置１が属する移動通信システムの図示しない基地局に対して送信される。
【００１４】
当該図示しない基地局から無線装置１に到来した無線受信波は、アンテナ１０及び送受切り換え部１１を経て受信部１３により受信される。受信部１３は当該無線受信波を増幅及び周波数変換し、当該無線受信波により搬送されて到来したディジタル受信信号を復調する。受信部１３はさらに、その復調出力を復号化して基地局から送られた情報を抽出し、制御部１４に送る。
【００１５】
無線装置１は、送話部１６、受話部１７及び音声インターフェース１８を備えている。上記の移動通信システムを介して音声を含む通話が開始されると、送話部１６から入力された音声は音声インターフェース１８によりディジタル信号に変換されて符号化され、上述したのと同様に送信部１２において生成される無線送信波に搬送されて送信される。また、無線受信波に搬送されて受信部１３により受信され復調されたディジタル音声信号は、音声インターフェース１８により復号化されアナログ音声信号に変換されて受話部１７から再生される。
【００１６】
無線装置１は、上記の移動通信システムとは異なる無線システム（例えば無線ローカルエリアネットワーク（無線ＬＡＮ）、ブルートゥース等であるが、それらに限らない。）に属して使用されるためのアンテナ２０を備えている。アンテナ２０は、送受切り換え部２１を介して送信部２２及び受信部２３に接続されている。送信部２２及び受信部２３は、制御部１４に接続されている。
【００１７】
送信部２２は、制御部１４から得た情報を符号化したディジタル送信信号により連続波を変調し、その変調出力を周波数変換及び増幅して無線送信波を生成する。当該無線送信波は、送受切り換え部２１を経てアンテナ２０から放射され、図示しない相手装置（例えば無線ＬＡＮの基地局、ブルートゥースの相手側装置等であるが、それらに限らない。）に対して送信される。なお送信部２２は、送信部１２と同様にディジタル音声信号を送信することができるとしてもよい。
【００１８】
当該図示しない相手装置から無線装置１に到来した無線受信波は、アンテナ２０及び送受切り換え部２１を経て受信部２３により受信される。受信部２３は当該無線受信波を増幅及び周波数変換し、無線受信波により搬送されて到来したディジタル受信信号を復調する。受信部２３はさらに、その復調出力を復号化して上記の相手装置から送られた情報を抽出し、制御部１４に送る。なお受信部２３は、受信部１３と同様にディジタル音声信号を受信することができるとしてもよい。
【００１９】
無線装置１は、例えば液晶デバイスにより構成された表示部２４を備えている。表示部２４は、文字列、カーサー又は画像を含む画面を表示することができる。無線装置１は、十字キー、複数の文字キー及び複数の機能キーを含む操作部２５を備えている。上記の十字キーは、表示部２４に表示された画面上でカーサーを移動させるために使用される。上記の文字キーは、それぞれトグル方式によって英数字又は記号を入力するために使用される。上記の機能キーは、それぞれ表示部２４上に表示される機能を実行するために使用される。
【００２０】
無線装置１は、電池装着部２７を備えている。電池装着部２７には、電池２７ａを装着することができる。電池２７ａの電池出力は、電池装着部２７の図示しない電極を経て、上述した無線装置の各構成に対して給電される。それらの構成のうち、消費電力の大小を左右する例として、送信部１２及び送信部２２が挙げられる。送信部１２及び送信部２２が並行して動作可能にされた場合の各送信出力値と電池２７ａの出力値（電圧値、電流値又は電力値）を対応付けて表すデータを、メモリ１５に格納することができる。当該データは、測定又は計算等の方法によって得ることができる。
【００２１】
制御部１４は、上述した移動通信システムの基地局から受信した指示に基づいて、送信部１２の送信出力値を設定することができる。制御部１４は、操作部２５における操作入力に基づいて送信部１２の送信出力値を設定することができるものとしてもよい。制御部１４は、設定した送信出力値を送信部１２に対して指示することができる。送信部１２は、上記の指示を受けた後、当該指示された値の送信出力を生成する。
【００２２】
制御部１４は、操作部２５における操作入力に基づいて送信部１２の送信出力値を設定することができる。制御部１４は、設定した送信出力値を送信部２２に対して指示することができる。送信部２２は、上記の指示を受けた後、当該指示された値の送信出力を生成する。
【００２３】
図２を参照して、本発明の実施例１に係る無線装置１の動作について説明する。図２は、無線装置１の動作を表すフローチャートである。本発明の実施例１に係る動作の開始（“ＳＴＡＲＴ”）は、操作部２５における移動通信システムと無線システムの並行動作を開始する操作によってなされる（ステップＳ１）。制御部１４は、移動通信システムの基地局から受信した指示に基づいて送信部１２の送信出力値を設定し、送信部１２に対して当該設定値を指示する。また制御部１４は、操作部２５における操作入力に基づいて送信部２２の送信出力値を設定する（ステップＳ２）。
【００２４】
上記のステップＳ２において、制御部１４は操作部２５における操作入力に基づいて送信部１２の送信出力値を設定するとしてもよく、送信部１２の送信出力値を予め定められたデフォルト値に設定するとしてもよい。制御部１４は、送信部２２の送信出力値を予め定められたデフォルト値に設定するとしてもよい。
【００２５】
制御部１４は、送信部１２及び送信部２２の各送信出力値と電池２７ａの出力値を対応させてメモリ１５に格納されたデータを参照することにより、電池２７ａの出力値を推定する（ステップＳ３）。制御部１４は推定した電池２７ａの出力値（推定値）を所定のしきい値と比較して、上記の推定値が当該しきい値を超えると判断したとき（ステップＳ４の“ＮＯ”）、送信部２２の送信出力値を減少させて再設定する（ステップＳ５）。制御部１４は上記の推定値が当該しきい値以下であると判断したとき（ステップＳ４の“ＹＥＳ”）、ステップＳ５をバイパスする。
【００２６】
制御部１４は、例えば電池２７ａの出力値を上記のしきい値以下にとどめる何らかの関数にしたがって、上記の再設定を行うことができる。このような再設定により、電池２７ａの持続時間の改善が期待される。制御部１４はステップＳ５において、移動通信システムにおける条件が許す範囲で（例えば、移動端末である無線装置が一定の範囲まで送信出力を自律的に設定してもよければ）、送信部１２の送信出力値を減少させて再設定してもよい。また、送信部１２と送信部２２の送信出力値の総和がその上限を超えないように再設定してもよい。
【００２７】
制御部１４はその後、操作部２５において移動通信システムと無線システムの並行動作を終了する操作がなされるまでは（ステップＳ６の“ＮＯ”）、上記のステップＳ３乃至ステップＳ５の処理を反復する。操作部２５において移動通信システムと無線システムの並行動作を終了する操作がなされたときは（ステップＳ６の“ＹＥＳ”）、本発明の実施例１に係る動作を終了する（“ＥＮＤ”）。
【００２８】
本発明の実施例１によれば、無線装置が複数の通信システムに対応する動作を並行して行うと共に電池出力に対応して送信出力値を再調整することにより、多機能の迅速な活用と電池の持続時間改善を両立させることができる。
【実施例２】
【００２９】
以下、図３乃至図５を参照して、本発明の実施例２を説明する。図３は、本発明の実施例２に係る無線装置２のブロック図である。無線装置２は、実施例１で説明した無線装置１の構成に、監視部２８及び温度センサ２９を付加したものである。その他の構成は、すべて無線装置１の構成と同じであるから、それぞれ同一の符号を付して表し説明を省略する。
【００３０】
監視部２８は電池装着部２７の図示しない電極の１に接続され、電池２７ａの出力値（電圧値、電流値又は電力値）を監視することができる。温度センサ２９は無線装置２の内部に設けられ、無線装置２の機器温度を測定することができる。監視部２８は温度センサ２９に接続され、無線装置２の機器温度を監視することができる。監視部２８は制御部１４に接続され、監視により得られた電池２７ａの出力値のデータ及び無線装置２の機器温度のデータを制御部１４に送ることができる。
【００３１】
図４を参照して、本発明の実施例２に係る無線装置２の動作について説明する。図４は、無線装置２の実施例２に係る動作を表すフローチャートである。本発明の実施例２に係る動作の開始（“ＳＴＡＲＴ”）後のステップＳ１１乃至ステップＳ１４の動作は、図２のステップＳ１乃至ステップＳ４の動作と同じであるから、説明を省略する。
【００３２】
制御部１４はステップＳ１３において推定した電池２７ａの出力値（推定値）を所定のしきい値と比較して、上記の推定値が当該しきい値以下であると判断したとき（ステップＳ１４の“ＹＥＳ”）、監視部３０に指示して電池２７ａの出力値のデータ及び無線装置２の機器温度のデータを取得する（ステップＳ１５）。
【００３３】
制御部１４は上記の電池２７ａの出力値及び機器温度のデータをそれぞれ所定の上限値と比較して、電池の２７ａの出力値又は機器温度のうち少なくとも一方がその上限値を超えると判断したとき（ステップＳ１６の“ＮＯ”）、送信部２２の送信出力値を減少させて再設定する（ステップＳ１７）。制御部１４は、電池２７ａの出力値及び機器温度のデータが共に各々の上限値以下であると判断したとき（ステップＳ１６の“ＹＥＳ”）、ステップＳ１７をバイパスする。なお、上記の電池２７ａの出力値のデータの上限値は、ステップＳ１４におけるしきい値と同じであってもよく、異なっていてもよい。
【００３４】
ステップＳ１７における送信部２２の送信出力値の再設定は、図２のステップＳ５におけるのと同様に行うことができる。制御部１４はステップＳ１７において、実施例１（図２のステップＳ５）におけるのと同様に、移動通信システムにおける条件が許す範囲で送信部１２の送信出力値を減少させて再設定してもよい。また、送信部１２と送信部２２の送信出力値の総和がその上限を超えないように再設定してもよい。
【００３５】
制御部１４は、ステップＳ１４において上記の推定値が上記のしきい値を超えると判断したとき（ステップＳ１４の“ＮＯ”）、電池出力値及び機器温度のデータに関わらず、送信部２２の送信出力値を減少させて再設定する（ステップＳ１７）。
【００３６】
制御部１４はその後、操作部２５において前述した移動通信システムと無線システムの並行動作を終了する操作がなされるまでは（ステップＳ１８の“ＮＯ”）、上記のステップＳ１３乃至ステップＳ１７の処理を反復する。操作部２５において移動通信システムと無線システムの並行動作を終了する操作がなされたときは（ステップＳ１８の“ＹＥＳ”）、本発明の実施例２に係る動作を終了する。
【００３７】
図５は、無線装置２の実施例２に係る動作の変形例を表すフローチャートである。図５におけるステップごとの処理は、図４において説明したステップごとの処理と同じであるから、各ステップに図４と同一の符号を付して表している。図５の変形例を表すフローチャートと図４のフローチャートとの相違は、ステップＳ１４における条件付き分岐先の如何にある。
【００３８】
図５の変形例では、制御部１４はステップＳ１４において電池２７ａの出力の推定値が所定のしきい値を超えると判断したとき（ステップＳ１４の“ＮＯ”）、監視部３０に指示して電池２７ａの出力値のデータ及び無線装置２の機器温度のデータを取得する（ステップＳ１５）。制御部１４は上記の推定値が当該しきい値以下であると判断したとき（ステップＳ１４の“ＹＥＳ”）、ステップＳ１５乃至ステップＳ１７をバイパスする。
【００３９】
図４のフローチャートによれば、電池２７ａの出力の推定値が所定のしきい値を超えると判断された場合に、送信部２２の送信出力値が再設定される。これに対して、図５のフローチャートによれば、電池２７ａの出力の推定値が所定のしきい値を超えると判断され、かつ、電池２７ａの出力値又は機器温度のうち少なくとも一方の監視結果のデータがその上限値を超えると判断された場合に、送信部２２の送信出力値が再設定される。無線装置２の使用の条件に合わせて、図４又は図５の何れかのフローチャートを選択することができる。
【００４０】
図４又は図５のフローチャート中ステップＳ１５において、制御部１４は監視部３０に指示して電池２７ａの出力値のデータのみを取得するものとしてもよい。その場合、無線装置１は温度センサ２９を備えなくてもよい。
【００４１】
本発明の実施例２によれば、送信出力値等の監視結果のデータも利用することにより、送信出力値の再設定の要否をより正確に判断することができるという、付加的な効果が得られる。
【実施例３】
【００４２】
以下、図６及び図７を参照して、本発明の実施例３を説明する。本発明の実施例３に係る無線装置は、実施例２で説明した無線装置２であるものとする。したがって、以下の実施例３の説明においては、図３も適宜参照する。
【００４３】
図６は、無線装置２の実施例３に係る動作を表すフローチャートである。本発明の実施例３に係る動作の開始（“ＳＴＡＲＴ”）後のステップＳ２１及びステップＳ２２の動作は、図４のステップＳ１１及びステップＳ１２の動作と同じであるから、説明を省略する。
【００４４】
制御部１４は、操作部２５における操作入力に基づいて、実施例１において説明した移動通信システムを介する音声通話が行われている場合に（ステップＳ２３の“ＹＥＳ”）、送信部１２及び送信部２２の各送信出力値と電池２７ａの出力値を対応させてメモリ１５に格納されたデータを参照することにより、電池２７ａの出力値を推定する（ステップＳ２４）。以降のステップＳ２４乃至ステップＳ２９の動作は、図４のステップＳ１３乃至ステップＳ１８の動作と同じであるから、説明を省略する。
【００４５】
ステップＳ２３において音声通話が行われていない場合（ステップＳ２３の“ＮＯ”）、制御部１４は前述した移動通信システムと無線システムの並行動作の終了又は継続を判断して処理を分岐する（ステップＳ２９）。
【００４６】
図７は、無線装置２の実施例３に係る動作の変形例を表すフローチャートである。図７におけるステップごとの処理は、図６において説明したステップごとの処理と同じであるから、各ステップに図６と同一の符号を付して表している。図７の変形例を表すフローチャートと図６のフローチャートとの相違は、ステップＳ２５における条件付き分岐先の如何にある。この相違については、実施例２において図４と図５を対比して説明した通りであるから、説明を省略する。
【００４７】
図６又は図７において、ステップＳ２６及びステップＳ２７の処理を省略したと仮定する。その場合に得られるフローチャートは、実施例１において説明した図２のフローチャートにおいて、ステップＳ２とステップＳ３の間に音声通話の有無を判断する処理（図６又は図７のステップＳ２３に相当する。）を挿入したのと等価である。
【００４８】
本発明の実施例３によれば、無線装置の電力消費に占める割合の高い音声通話の有無に基づくことにより、送信出力値の再設定の要否を的確に判断することができるという付加的な効果が得られる。
【実施例４】
【００４９】
以下、図８を参照して、本発明の実施例４を説明する。本発明の実施例４に係る無線装置は、実施例２で説明した無線装置２であるものとする。したがって、以下の実施例４の説明においては、図３も適宜参照する。
【００５０】
図８は、無線装置２の実施例４に係る動作を表すフローチャートである。本発明の実施例４に係る動作の開始（“ＳＴＡＲＴ”）後のステップＳ４１の動作は、実施例３において説明した図７のステップＳ２１の動作と同じであるから、説明を省略する。
【００５１】
制御部１４は、無線装置１のデフォルト設定又は操作部２５における操作入力に基づいて、送信部１２及び送信部２２の各送信出力値を可変とする設定がなされているか否かを判断する。その結果、可変とする設定がなされていれば（ステップＳ４２の“ＹＥＳ”）、制御部１４は送信部１２及び送信部２２の送信出力値をそれぞれ設定する（ステップＳ４３）。以降のステップＳ４３乃至ステップＳ５０の動作は、図７のステップＳ２２乃至ステップＳ２９の動作と同じであるから、説明を省略する。
【００５２】
ステップＳ４２において、送信部１２及び送信部２２の各送信出力値を可変とする設定がなされていなければ（ステップＳ４２の“ＮＯ”）、制御部１４は送信部１２及び送信部２２の送信出力値を予め定められた固定値にそれぞれ設定する（ステップＳ５５）。続いて制御部１４は、操作部２５において前述した移動通信システムと無線システムの並行動作を終了する操作がなされるまで待機する（ステップＳ５６の“ＮＯ”）。操作部２５において移動通信システムと無線システムの並行動作を終了する操作がなされたときは（ステップＳ５６の“ＹＥＳ”）、本発明の実施例４に係る動作を終了する（“ＥＮＤ”）。
【００５３】
図８のフローチャートは、実施例３で説明した図７のフローチャートにおいてステップＳ２１とステップＳ２２の間に送信出力可変の可否を判断する処理（図８のステップＳ４２）を挿入し、送信出力が可変でないとき固定値に設定して並行動作の終了を待つ（図８のステップＳ４２の“ＮＯ”乃至ステップＳ５６）ように変形したものである。
【００５４】
これと同様に、実施例１で説明した図２のフローチャートにおいてステップＳ１とステップＳ２の間に送信出力可変の可否を判断する処理を挿入し、送信出力が可変でないとき固定値に設定して並行動作の終了を待つように変形することもできる。また、実施例２で説明した図４若しくは図５又は実施例３で説明した図６のフローチャートを同様に変形することもできる。
【００５５】
本発明の実施例４によれば、送信出力値を可変とする設定がされている場合に限ることにより、送信出力値の再設定の要否を的確に判断することができるという付加的な効果が得られる。以上の実施例１乃至実施例４において説明した無線装置の構成、接続、動作フロー等は例示であり、本発明の要旨を逸脱しない範囲でさまざまな変形が可能である。
【図面の簡単な説明】
【００５６】
【図１】本発明の実施例１に係る無線装置のブロック図。
【図２】本発明の実施例１に係る無線装置の動作を表すフローチャート。
【図３】本発明の実施例２に係る無線装置のブロック図。
【図４】本発明の実施例２に係る無線装置の動作を表すフローチャート。
【図５】本発明の実施例２に係る無線装置の動作の変形例を表すフローチャート。
【図６】本発明の実施例３に係る無線装置の動作を表すフローチャート。
【図７】本発明の実施例３に係る無線装置の動作の変形例を表すフローチャート。
【図８】本発明の実施例４に係る無線装置の動作を表すフローチャート。
【符号の説明】
【００５７】
１、２  無線装置
１０、２０  アンテナ
１１、２１  送受切り換え部
１２、２２  送信部
１３、２３  受信部
１４  制御部
１５  メモリ
１６  送話部
１７  受話部
１８  音声インターフェース
２４  表示部
２５  操作部
２７  電池装着部
２７ａ  電池
２８  監視部
２９  温度センサ
【図１】
2008061012.tif 000003
【図２】
2008061012.tif 000004
【図３】
2008061012.tif 000005
【図４】
2008061012.tif 000006
【図５】
2008061012.tif 000007
【図６】
2008061012.tif 000008
【図７】
2008061012.tif 000009
【図８】
2008061012.tif 000010